(57)【要約】【課題】手軽に、金箔および金粉等の金属箔粉を、大きさを選別しつつ振りかけることができる手段を提供する。【解決手段】金属箔粉を収容した容器本体１と、容器本体１に設けられた、金属箔粉を選別する篩手段を備えた複数の金属箔粉取出口４〜６を有する。金属箔粉取出口４〜６毎に篩手段の目の細かさが異なる。さらに、容器本体１にスライド運動可能に取付けられ、１の金属箔粉取出口４〜６に対応する単一の出口９を有し、金属箔粉取出口４〜６のすべてを閉鎖する閉鎖位置と、出口９が金属箔粉取出口４〜６にそれぞれ整合することにより、対応する金属箔粉取出口４〜６を開放する複数の開放位置をとる蓋８を有する。【選択図】図１
0003161480.tif 000002
【実用新案登録請求の範囲】
【請求項１】
金属箔粉を収容した容器本体と、
前記容器本体に設けられ、前記金属箔粉を選別する篩手段を備えた複数の金属箔粉取出口と、を有し、
前記金属箔粉取出口毎に、前記篩手段の目の細かさが異なり、さらに、
前記容器本体にスライド運動可能に取付けられ、１の前記金属箔粉取出口に対応する単一の出口を有し、前記金属箔粉取出口のすべてを閉鎖する閉鎖位置と、前記出口が前記金属箔粉取出口にそれぞれ整合することにより、対応する前記金属箔粉取出口を開放する複数の開放位置をとる蓋を有することを特徴とする金属箔粉振りかけ容器。
【請求項２】
前記容器本体は両端開口が閉じた円筒状を有し、前記複数の金属箔粉取出口は前記容器本体の一方の端面に放射状に設けられ、前記蓋は、前記容器本体の前記一方の端面を被覆する円板状を有していて、前記一方の端面に前記容器本体の中心軸に同心に回転スライド運動可能に取り付けられ、前記蓋には、１の前記金属箔粉取出口に対応する前記出口が設けられることを特徴とする請求項１に記載の金属箔粉振りかけ容器。
【請求項３】
前記容器本体は両端開口が閉じた円筒状を有し、前記複数の金属箔粉取出口は前記容器本体の一方の端面に放射状に設けられ、前記蓋は、円板状部分と、前記円板状部分の外周に立設された短筒状部分とからなり、前記蓋が前記容器本体の前記一方の端面側に被せられた状態で前記円板状部分が前記一方の端面に取り付けられて、前記蓋が前記容器本体の中心軸のまわりに回転スライド運動可能になっており、前記蓋の前記円板状部分には、１の前記金属箔粉取出口に対応する前記出口が設けられることを特徴とする請求項１に記載の金属箔粉振りかけ容器。
【請求項４】
前記容器本体は両端開口が閉じた円筒状を有し、前記複数の金属箔粉取出口は前記容器本体の外周面に周方向に沿って設けられ、前記蓋は、前記容器本体の外径に対応する内径を有する一定幅の環状を有していて、前記容器本体の外周面に、前記蓋が前記複数の金属箔粉取出口を被覆しつつ周方向に沿って回転スライド運動可能に取り付けられ、前記蓋には、１の前記金属箔粉取出口に対応する前記出口が設けられることを特徴とする請求項１に記載の金属箔粉振りかけ容器。
【請求項５】
前記容器本体は両端開口が閉じた円筒状を有し、前記複数の金属箔粉取出口は前記容器本体の外周面に周方向に沿って設けられ、前記蓋は、円板状部分と、前記円板状部分の外周に立設された短筒状部分とからなり、前記蓋が前記容器本体の前記一方の端面側に被せられた状態で前記円板状部分が前記一方の端面に取り付けられて、前記蓋が前記容器本体の中心軸のまわりに回転スライド運動可能になっており、前記蓋の前記短筒状部分には、１の前記金属箔粉取出口に対応する前記出口が設けられることを特徴とする請求項１に記載の金属箔粉振りかけ容器。
【請求項６】
前記容器本体は、静電気を発生させにくい材料から形成され、または、少なくとも内壁面に静電気防止コーティングを有していることを特徴とする請求項１〜請求項５のいずれかに記載の金属箔粉振りかけ容器。
【請求項７】
前記金属箔粉は金箔または金粉またはそれらの組合せであることを特徴とする請求項１〜請求項６のいずれかに記載の金属箔粉振りかけ容器。
【考案の詳細な説明】
【技術分野】
【０００１】
本考案は、金属箔粉を予め収容しておき、必要に応じて、カップ等に注がれた飲料、器に盛られた料理および菓子等、あるいは絵画や工芸品等に振りかけて使用するのに適した容器に関するものである。
【背景技術】
【０００２】
従来、金属箔粉、特に、金箔や金粉を絵画や工芸品等の表面に振りかけて固定し、豪華さや高級感を出す技法が広く用いられている（例えば、特許文献１参照）。この金箔や金粉の振りかけは、通常、一端開口に金網が張られた竹筒（砂子筒と呼ばれる）中に、金箔（切り廻し箔）を入れ、接着剤を塗布した表面上に、たたき筆を用いて竹筒の金網の目から金箔や金粉をもみ落とすことによってなされている。この場合、異なるメッシュの金網を備えた種々の砂子筒が用意され、振りかける金箔および金粉の大きさに応じて、使用する砂子筒の種類が選択されるようになっている。
【０００３】
この従来法によれば、金箔および金粉を、適度な濃淡を伴って綺麗に振りかけることができる。しかしその一方で、砂子筒およびたたき筆を常に手許に用意しておかねばならず、また砂子筒とたたき筆を用いた作業も煩雑で手間がかかり、手軽に金箔や金粉を振りかけて使用することができなかった。
【０００４】
また、近年では、金箔や金粉を、カップ等に注がれた飲料に浮かせ、あるいは、羊羹、ケーキ等の菓子や、寿司、器に盛られた料理等に振りかけることにより、豪華さおよび高級感を出すことが盛んに行われている（例えば、特許文献２、３参照）。この場合、砂子筒およびたたき筆を使用すれば、金箔や金粉を綺麗に振りかけることができるが、上記のように、これらの道具を使用することは煩わしいので、通常は、適量の金箔または金粉を、箔箸または指でつまんで振りかけることがなされている。
【０００５】
しかしながら、金箔および金粉は、非常に薄く、僅かな静電気によって箔箸や指の表面に付着するので、うまく振りかけることができなかった。さらに、金箔や金粉の大きさを選別して振りかけることもできなかった。
【先行技術文献】
【特許文献】
【０００６】
【特許文献１】特開昭６３−２０９９００号公報
【特許文献２】特開平６−１２５７１２号公報
【特許文献３】特開２００５−２１８３９８号公報
【考案の概要】
【考案が解決しようとする課題】
【０００７】
したがって、本考案の課題は、手軽に、金箔および金粉等の金属箔粉を、大きさを選別しつつ振りかけることができる手段を提供することにある。
【課題を解決するための手段】
【０００８】
上記課題を解決するため、本考案は、金属箔粉を収容した容器本体と、前記容器本体に設けられ、前記金属箔粉を選別する篩手段を備えた複数の金属箔粉取出口と、を有し、前記金属箔粉取出口毎に前記篩手段の目の細かさが異なり、さらに、前記容器本体にスライド運動可能に取付けられ、１の前記金属箔粉取出口に対応する単一の出口を有し、前記金属箔粉取出口のすべてを閉鎖する閉鎖位置と、前記出口が前記金属箔粉取出口にそれぞれ整合することにより、対応する前記金属箔粉取出口を開放する複数の開放位置をとる蓋を備えたことを特徴とする金属箔粉振りかけ容器を構成したものである。
【０００９】
本考案の好ましい実施例によれば、前記容器本体は両端開口が閉じた円筒状を有し、前記複数の金属箔粉取出口は前記容器本体の一方の端面に放射状に設けられ、前記蓋は、前記容器本体の前記一方の端面を被覆する円板状を有していて、前記一方の端面に前記容器本体の中心軸に同心に回転スライド運動可能に取り付けられ、前記蓋には、１の前記金属箔粉取出口に対応する前記出口が設けられる。
【００１０】
本考案の別の好ましい実施例によれば、前記容器本体は両端開口が閉じた円筒状を有し、前記複数の金属箔粉取出口は前記容器本体の一方の端面に放射状に設けられ、前記蓋は、円板状部分と、前記円板状部分の外周に立設された短筒状部分とからなり、前記蓋が前記容器本体の前記一方の端面側に被せられた状態で前記円板状部分が前記一方の端面に取り付けられて、前記蓋が前記容器本体の中心軸のまわりに回転スライド運動可能になっており、前記蓋の前記円板状部分には、１の前記金属箔粉取出口に対応する前記出口が設けられる。
【００１１】
本考案のさらに別の好ましい実施例によれば、前記容器本体は両端開口が閉じた円筒状を有し、前記複数の金属箔粉取出口は前記容器本体の外周面に周方向に沿って設けられ、前記蓋は、前記容器本体の外径に対応する内径を有する一定幅の環状を有していて、前記容器本体の外周面に、前記蓋が前記複数の金属箔粉取出口を被覆しつつ周方向に沿って回転スライド運動可能に取り付けられ、前記蓋には、１の前記金属箔粉取出口に対応する前記出口が設けられる。
【００１２】
本考案のさらに別の好ましい実施例によれば、前記容器本体は両端開口が閉じた円筒状を有し、前記複数の金属箔粉取出口は前記容器本体の外周面に周方向に沿って設けられ、前記蓋は、円板状部分と、前記円板状部分の外周に立設された短筒状部分とからなり、前記蓋が前記容器本体の前記一方の端面側に被せられた状態で前記円板状部分が前記一方の端面に取り付けられて、前記蓋が前記容器本体の中心軸のまわりに回転スライド運動可能になっており、前記蓋の前記短筒状部分には、１の前記金属箔粉取出口に対応する前記出口が設けられる。
【００１３】
本考案のさらに別の好ましい実施例によれば、前記篩手段を備えた前記複数の金属箔粉取出口を、それぞれ、前記容器本体の前記一方の端面の一定領域に形成された複数個の穴からなっている。
本考案のさらに別の好ましい実施例によれば、前記容器本体は、静電気を発生させにくい材料から形成され、または、少なくとも内壁面に静電気防止コーティングを有している。
前記金属箔粉としては、種々の公知のものを用いることができるが、金箔また金粉またはそれらの組合せを用いれば、豪華さや高級感を出せると同時に、人体に無害であるから、飲料や食品等に振りかけて使用しても安全である。
【考案の効果】
【００１４】
本考案によれば、振りかけたい金属箔粉の大きさに応じて、蓋を閉鎖位置から適当な１の開放位置まで移動させ、開放された金属箔粉取出口を下に向けて、容器を手で上下に振るだけで、手軽にかつ綺麗に金属箔粉を対象物に振りかけることができる。
【図面の簡単な説明】
【００１５】
【図１】本考案の１実施例による金属箔粉振りかけ容器の分解斜視図である。
【図２】図１の容器の平面図であり、蓋の閉鎖位置および３つの開放位置を示した図である。
【図３】本考案の別の実施例による金属箔粉振りかけ容器の分解斜視図である。
【考案を実施するための形態】
【００１６】
以下、本考案の好ましい実施例を、添付図面を参照して説明する。図１は、本考案の１実施例による金属箔粉振りかけ容器の分解斜視図である。図１を参照して、本考案の金属箔粉振りかけ容器は、両端開口が閉じた円筒状を有し、内部に金属箔粉を収容した容器本体１を有している。容器本体１は、金属、プラスチック、紙、木材およびガラス等の適当な公知の材料から形成することができるが、好ましくは、例えば竹等の、静電気を発生させにくい材料から形成され、あるいは、少なくとも内壁面に静電気防止コーティングを有している。それによって、容器本体１に収容された金属箔粉が容器本体１の内壁面に付着し、または金属箔粉同士がくっついて塊状になることが防止される。
また、金属箔粉としては、例えば、金箔または金粉またはそれらの組合せや、銀箔または銀粉またはそれらの組合せ等、公知の金属箔粉をいずれも使用することができる。
【００１７】
この実施例では、図１に示すように、容器本体１は、その上部において、下側の第１の部分２と上側の第２の部分３に分離可能になっている。この場合、第２の部分３の内径が第１の部分２の外径より大きくなっており、第１の部分２に金属箔粉を充填した後、第２の部分３を第１の部分２に嵌め込むことによって、金属箔粉を容器本体１に簡単に収容することができる。また、第１および第２の部分２、３は、同じ材料から形成されていてもよいし、異なる材料から形成されていてもよい。
また、第１および第２の部分２、３が、例えば、金属、プラスチックまたはガラスから形成される場合には、第１の部分２の上端外周面にネジ山を設ける一方、第２の部分３の下端内周面には対応するネジ溝を設け、第２の部分３を第１の部分２にねじ込み、両者を互いに螺合させるようにしてもよい。
【００１８】
また、容器本体１の円形の上端面１ａが、互いに垂直な直径によって４等分され、第１の四分円領域には、最も大きい径を有する第１の穴４が複数個設けられ、それに隣接する第２の四分円領域には、第１の穴４より小さい径を有する第２の穴５が複数個設けられ、それに隣接する第３の四分円領域には、第２の穴５より小さい径を有する第３の穴６が複数個設けられる。この場合、第１〜第３の穴は、それぞれ、上端面１ａの外周縁および中心部、並びに四分円領域同士の境界線から一定の距離離れた領域に設けられることが好ましい。なお、残りの第４の四分円領域には、穴は設けられない。上端面１ａの中心には、また、取付穴７が形成されている。
【００１９】
こうして、第１の四分円領域の複数個の第１の穴４は、金属箔粉を選別する篩手段を備えた第１の金属箔粉取出口を構成し、第２の四分円領域の複数個の第２の穴５は、金属箔粉を選別する篩手段を備えた第２の金属箔粉取出口を構成し、第３の四分円領域の複数個の第３の穴６は、金属箔粉を選別する篩手段を備えた第３の金属箔粉取出口を構成する。そして、第１の金属箔粉取出口４、第２の金属箔粉取出口５および第３の金属箔粉取出口６の順に、取り出される金属箔粉の平均サイズは小さくなる。
【００２０】
容器本体１の上端面１ａには、蓋８が取り付けられる。蓋８は、金属、プラスチック、紙および木材等の公知の適当な材料から形成され、円板状部分８ａと、円板状部分８ａの外周に立設された短筒状部分８ｂとからなる、いわゆるシャーレーの形状を有している。また、円板状部分８ａの中心には取付穴１０が形成されている。そして、蓋８が容器本体１の上端面側に被せられ、円板状部分８ａの取付穴１０と上端面１ａの取付穴７が整合した状態で、ネジ１１が、上方から、ワッシャ１２を介してこれらの取付穴７、１０に通され、上端面１ａの裏面側において、ワッシャ１２およびナット１３によって留められる。それによって、蓋８は、容器本体１の上端面１ａに、容器本体１の中心軸のまわりに回転スライド運動可能に取り付けられる。
さらに、蓋８の円板状部分８ａには、１の金属箔粉取出口に対応する、四分円よりやや小さい中心角の扇形形状の単一の出口９が設けられる（図２参照）。
【００２１】
こうして、蓋８は、９０°回転する毎に、金属箔粉取出口４〜６のすべてを閉鎖する閉鎖位置（図２（Ａ）参照）と、出口９が金属箔粉取出口４〜６にそれぞれ整合することにより、対応する金属箔粉取出口を開放する３つの開放位置（第１の金属箔粉取出口４を開放する第１の開放位置（図２（Ｂ）参照）、第２の金属箔粉取出口５を開放する第２の開放位置（図２（Ｃ）参照）および第３の金属箔粉取出口６を開放する第３の開放位置（図２（Ｄ）参照））と、をとる。
【００２２】
また、容器本体１の第１の部分２が不透明な材料から形成される場合には、必要に応じて、容器本体１の第１の部分２の外周面には、金属箔粉の残量を目で確認するための透明な窓１４が設けられる。
【００２３】
こうして、振りかけたい金属箔粉の大きさに応じて、蓋８を、閉鎖位置から第１〜第３の開放位置のいずれかまで回転させ、開放された金属箔粉取出口を下向きにして容器を上下に振るだけで、手軽にかつ綺麗に金属箔粉を振りかけることができる。
【００２４】
なお、上記実施例では、容器本体１の上端面１ａに金属箔粉取出口１５〜１７を３つ設けたが、金属箔粉取出口の個数はこの実施例に限定されず、２つ以上の任意の個数の金属箔粉取出口を設けることができる。
また、上記実施例では、円板状部分８ａと短筒状部分８ｂからなる蓋８を、容器本体１の上端面側に被せた状態で容器本体１の中心軸のまわりに回転スライド運動可能に取り付けるとともに、円板状部分８ａに、１の金属箔粉取出口に対応する単一の出口を設けたが、その代わりに、蓋８を、容器本体１の上端面１ａを被覆する円板状とし、上端面１ａに容器本体１の中心軸に同心に回転スライド運動可能に取り付けるとともに、蓋８に、１の金属箔粉取出口に対応する単一の出口を設けてもよい。
【００２５】
図３は、本考案の別の実施例による金属箔粉振りかけ容器の分解斜視図である。図３の実施例は、図１の実施例と、金属箔粉取出口の構造およびそれらの設けられる位置、並びに蓋の出口の位置が異なるだけである。したがって、図３中、図１に示した構成要素と同じものには同一番号を付して詳細な説明を省略する。
【００２６】
図３を参照して、この実施例では、容器本体１の第２の部分３の外周面の上部に、３つの金属箔粉取出口１５〜１７が、周方向に沿って互いに間隔をあけて設けられる。この場合、第２の部分３の外周が４等分され、それらのうちの第１の外周部分に第１の金属箔粉取出口１５が設けられ、それに隣接する第２の外周部分に第２の金属箔粉取出口１６が設けられ、それに隣接する第３の外周部分に第３の金属箔粉取出口１７が設けられる。なお、残りの第４の外周部分には、金属箔粉取出口は設けられない。
【００２７】
３つの金属箔粉取出口１５〜１７には、それぞれ、金属箔粉を選別する篩手段として、金網１８〜２０が備えられている。この場合、第１の金網１８の目が最も大きく、第２の金網１９は第１の金網１８より小さい目を有し、第３の金網２０は第２の金網１９より小さい目を有している。それによって、第１の金属箔粉取出口１５、第２の金属箔粉取出口１６および第３の金属箔粉取出口１７の順に、取り出される金属箔粉の平均サイズは小さくなる。
【００２８】
また、蓋８の筒状部分８ｂには、１の金属箔粉取出口とほぼ同じ形状の単一の出口２１が設けられる。
こうして、蓋８は、９０°回転する毎に、金属箔粉取出口１５〜１７のすべてを閉鎖する閉鎖位置と、出口２１が金属箔粉取出口１５〜１７にそれぞれ整合することにより、対応する金属箔粉取出口を開放する３つの開放位置（第１の金属箔粉取出口１５を開放する第１の開放位置、第２の金属箔粉取出口１６を開放する第２の開放位置および第３の金属箔粉取出口１７を開放する第３の開放位置）と、をとる。
【００２９】
この実施例においても、図１の実施例と同様、振りかけたい金属箔粉の大きさに応じて、蓋８を、閉鎖位置から第１〜第３の開放位置のいずれかまで回転させ、開放された金属箔粉取出口を下向きにして容器を上下に振るだけで、手軽にかつ綺麗に金属箔粉を振りかけることができる。
【００３０】
図３の実施例では、円板状部分８ａと短筒状部分８ｂからなる蓋８を、容器本体１の上端面側に被せた状態で容器本体１の中心軸のまわりに回転スライド運動可能に取り付けるとともに、短筒状部分８ｂに、１の金属箔粉取出口に対応する単一の出口を設けたが、その代わりに、蓋８を、容器本体１の外径に対応する内径を有する一定幅の環状とし、容器本体１の外周面に、複数の金属箔粉取出口を被覆しつつ周方向に沿って回転スライド運動可能に取り付けるとともに、蓋８に、１の金属箔粉取出口に対応する単一の出口を設けてもよい。
【００３１】
以上、本考案の好ましい実施例を説明したが、本考案の構成は上述の実施例に限定されるものではなく、例えば、容器本体を円筒状以外の形状とすることができるし、また、蓋は、容器本体にスライド運動可能に取付けられ、１の金属箔粉取出口に対応する単一の出口を有し、金属箔粉取出口のすべてを閉鎖する閉鎖位置と、出口が金属箔粉取出口にそれぞれ整合することにより、対応する金属箔粉取出口を開放する複数の開放位置をとるものであれば、いかなる構造のものでもよい。
【符号の説明】
【００３２】
１  容器本体
１ａ  上端面
２  第１の部分
３  第２の部分
４  第１の穴
５  第２の穴
６  第３の穴
７  取付穴
８  蓋
８ａ  円板状部分
８ｂ  短筒状部分
９  出口
１０  取付穴
１１  ネジ
１２  ワッシャ
１３  ナット
１４  窓
１５  第１の金属箔粉取出口
１６  第２の金属箔粉取出口
１７  第３の金属箔粉取出口
１８  第１の金網
１９  第２の金網
２０  第３の金網
２１  出口
【図１】
0003161480.tif 000003
【図２】
0003161480.tif 000004
【図３】
0003161480.tif 000005